(57)【要約】【課題】  間伐材を利用して建築用パネルを低コストで生産供給する。【解決手段】  移動式製材装置１２を複数の間伐現場１０に配備し、移動式製材装置１２でその間伐現場１０の間伐材１１を製材し、製材した材料１３にその情報を記録したＩＣタグ１５を付設して間伐現場１０の所定場所で保管し、ＩＣタグ１５の情報を管理コンピュータ１６のデータベースに記録して管理し、顧客から受注した建築用パネル１９の情報とデータベースの材料１３の情報とを比較していずれの間伐現場１０の材料１３が使用可能かを検索して決定し、決定した間伐現場１０に移動式パネル製造装置１８を搬入し、決定した間伐現場１０の材料１３のＩＣタグ１５の情報を読み出して使用する材料１３を特定し、その材料１３を用いて移動式パネル製造装置１８により建築用パネル１９を製造し、製造した建築用パネル１９を間伐現場１０から建築現場４０に直接運搬して供給する。【選択図】図１
2007136846.tif 000002
【特許請求の範囲】
【請求項１】
間伐材を利用して建築用パネルを製造して建築現場へ供給する建築用パネルの生産供給方法であって、車両に製材機を架装した移動式製材装置を複数の間伐現場に配備し、移動式製材装置でその間伐現場で間伐された間伐材を製材し、製材した建築用パネルの材料にその材料の情報を記録したＩＣタグを付設して間伐現場の所定場所で保管し、材料のＩＣタグの情報をコンピュータのデータベースに記録して管理し、顧客から受注した建築用パネルの製品の情報とデータベース内の材料の情報とを比較していずれの間伐現場の材料が使用可能かを検索して決定し、決定した間伐現場にパネル製造機を車両に架装した移動式パネル製造装置を搬入し、決定した間伐現場で保管されている材料のＩＣタグの情報を読み出して使用する材料を特定し、その特定した材料を用いて移動式パネル製造装置により受注した建築用パネルを製造し、製造した建築用パネルを間伐現場から建築現場に直接運搬して供給するようにしたことを特徴とする、間伐材を利用した建築用パネルの生産供給方法。
【請求項２】
ＩＣタグを付設した材料の含水率を定期的に計測してデータベースに記録し、材料選定時に記録した含水率も参照して製造に使用可能かを検索できるようにした、請求項１記載の間伐材を利用した建築用パネルの生産供給方法。
【発明の詳細な説明】
【技術分野】
【０００１】
本発明は、間伐材を利用して住宅の筋交いパネル等の建築用パネルを製造して建築現場に供給する建築用パネルの生産供給方法に関する。
【背景技術】
【０００２】
従来、主要木の発育のために茂り過ぎた箇所や不要な木を切断して適当な間隔を空ける間伐が行なわれている。この際に出た間伐材は、大小様々な大きさ及び形をしており、柱や梁には利用し難く焼却処分されているのが現状である。一方、柱や梁で囲まれた開口部に筋交いに代えてパネルを取り付けて耐震性を高める技術が公知である。このパネルは狭幅の枠と複数本の筋交いとで構成されており、間伐材を材料にして十分に製造できるものである。
【０００３】
一般的には、間伐材を間伐現場からトラック等で製材所へ運搬し、製材所で所定寸法の板材や角材等の材料に製材してパネル工場で在庫し、顧客から受注した建築用パネルの製品の情報に基づいて材料を用いてパネル工場で建築用パネルを製造し、建築現場に搬入して施工することになる。しかし、この方法は運搬費用がかかって製品の価格が上昇し、結局は安価な輸入材等で製造することとなり、建築現場の地域の間伐材が有効に活用されなくなる問題があった。
【特許文献１】特開２００２−２４１７６１号公報
【発明の開示】
【発明が解決しようとする課題】
【０００４】
本発明が解決しようとする課題は、従来のこれらの問題点を解消し、間伐材を利用して建築用パネルを低コストで生産供給できる間伐材を利用した建築用パネルの生産供給方法を提供することにある。
【課題を解決するための手段】
【０００５】
かかる課題を解決した本発明の構成は、
１）  間伐材を利用して建築用パネルを製造して建築現場へ供給する建築用パネルの生産供給方法であって、車両に製材機を架装した移動式製材装置を複数の間伐現場に配備し、移動式製材装置でその間伐現場で間伐された間伐材を製材し、製材した建築用パネルの材料にその材料の情報を記録したＩＣタグを付設して間伐現場の所定場所で保管し、材料のＩＣタグの情報をコンピュータのデータベースに記録して管理し、顧客から受注した建築用パネルの製品の情報とデータベース内の材料の情報とを比較していずれの間伐現場の材料が使用可能かを検索して決定し、決定した間伐現場にパネル製造機を車両に架装した移動式パネル製造装置を搬入し、決定した間伐現場で保管されている材料のＩＣタグの情報を読み出して使用する材料を特定し、その特定した材料を用いて移動式パネル製造装置により受注した建築用パネルを製造し、製造した建築用パネルを間伐現場から建築現場に直接運搬して供給するようにしたことを特徴とする、間伐材を利用した建築用パネルの生産供給方法
２）  ＩＣタグを付設した材料の含水率を定期的に計測してデータベースに記録し、材料選定時に記録した含水率も参照して製造に使用可能かを検索できるようにした、前記１）記載の間伐材を利用した建築用パネルの生産供給方法
にある。
【発明の効果】
【０００６】
本発明によれば、間伐材の製材とパネルの製造を移動式の装置で間伐現場で行うようにしたから、材料のみの運搬工程が省略され、パネルを低コストで生産供給でき、結果間伐材を有効活用することが可能となる。
【発明を実施するための最良の形態】
【０００７】
本発明では、ＩＣタグを付設した材料の含水率を定期的に計測してデータベースに記録しておき、材料選定時に記録した含水率を参照して製造に適質な材料を選定できるようにして建築用パネルの品質を高める。以下、本発明の実施例を図面に基づいて具体的に説明する。
【実施例１】
【０００８】
図１〜３に示す実施例は、間伐材を利用して木造軸組工法に用いる筋交いパネルを生産供給する例である。図１は実施例の建築用パネルの生産供給システムの説明図、図２は実施例の建築用パネルの生産供給システムによる処理の流れを示すフローチャート、図３は実施例の建築用パネルの施工状態を示す一部切欠斜視図である。
【０００９】
図中、１０は間伐現場、１１は間伐材、１２は移動式製材装置、１３は材料、１４はバンド、１５はＩＣタグ、１６は管理コンピュータ、１７はＩＣタグリーダライタ、１８は移動式パネル製造装置、１９は建築用パネル、１９ａは基礎、１９ｂは土台、１９ｃは柱、２０は顧客、２１は端末、３０は供給業者、３１はサーバ、４０は建築現場、４１はトラック、５０は通信網である。
【００１０】
本実施例の建築用パネルの生産供給システムを図１，２に基づいて説明すると、複数の間伐現場１０の林道脇に間伐材１１の製材と製材した材料１３の保管・乾燥・建築用パネル１９の製造場所を確保し、同場所に車両に製材機を架装した移動式製材装置１２をそれぞれ配備する。この移動式製材装置１２で間伐した間伐材１１を製材して建築用パネル１９を製造するための材料１３（板材・角材）を製材する。板材は５０×１０×２０００ｍｍ、角材は３０×３０×２０００ｍｍに製材される。
【００１１】
材料１３は所定本数毎にバンド１４で結束して保管場所に保管する。バンド１４にはＩＣタグ１５を付設し、ＩＣタグ１５にその材料１３の間伐日時，場所，含水率，樹種，材種，管理委託業者名及び森林組合名，住所，電話番号，ファクシミリ番号，電子メールアドレス等を入力し、管理コンピュータ１６のデータベースで管理する。管理コンピュータ１６はインターネット等の通信網５０で供給業者３０のサーバ３１と接続され、管理コンピュータ１６のデータベースとサーバ３１のデータベースを同期している。材料１３はその保管場所で自然乾燥を開始し、定期的に含水率を計測してデータベースに記録していく。
【００１２】
顧客２０の端末２１は通信網５０で供給業者３０のサーバ３１と接続されている。顧客２０から建築用パネル１９を受注すると、受注した建築用パネル１９の情報を供給業者３０のサーバ３１にインストールされているＣＡＤに入力し、建築用パネル１９の種類，枚数を出力する。この建築用パネル１９の製造に必要な材料１３をデータベースに記録されている各間伐現場１０の材料１３の在庫と照合し、どの間伐現場１０のどの材料１３が使用できるかを検索して決定する。この際、含水率の情報も検索して十分に乾燥されている材料１３を選定する。
【００１３】
車両にパネル製造装置を架装した移動式パネル製造装置１８を決定した間伐現場１０に搬入し、その場所に保管されている材料１３のＩＣタグ１５の情報を読み出して使用する材料１３を特定し、その特定した材料１３を用いて受注した建築用パネル１９を製造する。板材は筋交い部分、角材は枠部分として用いる。製造した建築用パネル１９は手配したトラック４１で間伐現場１０から建築現場４０に直接運搬し、図３に示すような形態に施工される。このように、本実施例によれば間伐材１１の製材と建築用パネル１９の製造を間伐現場１０で行うようにしたから、間伐材１１及び材料１３の運搬工程が省略され、建築用パネル１９を低コストで生産供給でき、結果その地域の間伐材１１を有効活用することが可能となった。
【産業上の利用可能性】
【００１４】
本発明の建築用パネルの生産供給方法は、木造住宅に用いる筋交いパネルに有用である。また、外断熱仕様のパネルも間伐現場で製造し、高付加価値化と建築現場での工程数を低減することも可能である。
【図面の簡単な説明】
【００１５】
【図１】実施例の建築用パネルの生産供給システムの説明図である。
【図２】実施例の建築用パネルの生産供給システムによる処理の流れを示すフローチャートである。
【図３】実施例の建築用パネルの施工状態を示す一部切欠斜視図である。
【符号の説明】
【００１６】
１０  間伐現場
１１  間伐材
１２  移動式製材装置
１３  材料
１４  バンド
１５  ＩＣタグ
１６  管理コンピュータ
１７  ＩＣタグリーダライタ
１８  移動式パネル製造装置
１９  建築用パネル
１９ａ  基礎
１９ｂ  土台
１９ｃ  柱
２０  顧客
２１  端末
３０  供給業者
３１  サーバ
４０  建築現場
４１  トラック
５０  通信網
【図１】
2007136846.tif 000003
【図２】
2007136846.tif 000004
【図３】
2007136846.tif 000005